(57)【要約】【課題】消費電力が増大しても、主幹ブレーカの遮断を避けるとともに、分岐ブレーカの遮断も避けるようにする。【解決手段】各分岐ブレーカ２に流れる電流を検出する電流計測器４と、コンセント３から電力を供給される電気製品５とコンセント３との間で電力供給をオンオフするアダプタ６と、アダプタ６と通信可能とされ主幹ブレーカ１および各分岐ブレーカ２に流れる電流に基づいて電力の供給を制御する電力制御装置７が設けられる。主幹ブレーカ１を流れる電流値が規定値に達するとき、電力制御装置７は、最も電流値が多い分岐ブレーカ２の配下のアダプタ６を動作させて電力の供給をオフする。【選択図】図１
2015142402.tif 000002
【特許請求の範囲】
【請求項１】
主幹ブレーカと、主幹ブレーカに接続された複数の分岐ブレーカと、各分岐ブレーカに接続されたコンセントとを備えた屋内配線において、各分岐ブレーカに流れる電流を検出する電流計測器と、コンセントから電力を供給される電気製品とコンセントとの間で電力供給をオンオフするアダプタとが設けられ、アダプタと通信可能とされ各分岐ブレーカに流れる電流に基づいて電力の供給を制御する電力制御装置が設けられ、分岐ブレーカに電力制御時の優先順位が設定され、主幹ブレーカを流れる電流値が規定値に達するとき、電力制御装置は、優先順位の低い分岐ブレーカの配下のアダプタを動作させて電力の供給をオフすることを特徴とする電力制御システム。
【請求項２】
電力制御装置は、電力の供給をオフするアダプタが接続される分岐ブレーカを決めるとき、分岐ブレーカを流れる電流値に基づいて、最も電流値が多い分岐ブレーカを選択することを特徴とする請求項１記載の電力制御システム。
【請求項３】
電気製品が接続されたアダプタに優先順位が設定され、電力制御装置は、優先順位の低いアダプタから電力の供給をオフすることを特徴とする請求項１または２記載の電力制御システム。
【請求項４】
電力制御装置は、電気製品の使用状態を監視して、使用状態に応じて電力制御の対象とするアダプタを設定することを特徴とする請求項１〜３のいずれかに記載の電力制御システム。
【請求項５】
アダプタは、通電の有無を検出し、電力制御装置は、通電の有無に基づくアダプタからの使用情報に基づいて電気製品の使用状態を監視することを特徴とする請求項１〜４のいずれかに記載の電力制御システム。
【発明の詳細な説明】
【技術分野】
【０００１】
本発明は、電気製品の使用により屋内配線のブレーカに流れる電流を制限する電力制御システムに関する。
【背景技術】
【０００２】
住居内の屋内配線の多くのコンセントに電気製品が接続され、多数の電気製品が使用されると、消費電力が増大して、ブレーカの最大電流容量を超える電流が流れることがある。このとき、ブレーカが遮断されてしまうと、動作中の電気製品は停止する。例えば、夜間、急に照明がなくなる。炊飯器や全自動洗濯機などの一連の動きを必要とする電気製品が停止することにより、最初から始めなければならず、それまでのことが無駄になる。
【０００３】
このような事態を避けるために、特許文献１では、主幹ブレーカに流れる電流を監視する電流計測器と、コンセントと電気製品との間に接続される電流制限用アダプタとを備え、過負荷と判断されたとき、予め設定された優先順位にしたがってアダプタが電気製品の電流を制限する。
【０００４】
この場合、分岐ブレーカに流れる電流は監視されていないので、分岐ブレーカの最大電気容量を超える電流が流れていることを検出できず、分岐ブレーカが遮断されてしまう。
【０００５】
また、特許文献２では、ブレーカ毎に通過電流を検出する電流センサと、電力の供給をオンオフする開閉器を備えたコンセントとを備え、ブレーカを流れる電流値が規定値に達すると、予め設定された優先順位にしたがってコンセントの開閉器がオフされる。
【０００６】
このように、コンセントに開閉器が設けられているので、接続される電気製品が変わると、その都度優先順位を設定しなければならない。
【先行技術文献】
【特許文献】
【０００７】
【特許文献１】特開２００９−１１１００号公報
【特許文献２】特開２０１３−１７２９６号公報
【発明の概要】
【発明が解決しようとする課題】
【０００８】
分岐ブレーカごとに流れる電流を検出することにより、分岐ブレーカの遮断を未然に防げる。また、開閉器付きのコンセントの代わりにアダプタを用いて、電気製品が接続されたアダプタに優先順位を設定することにより、アダプタとともに電気製品を移動させても、再度優先順位を設定する必要がなくなる。
【０００９】
そこで、本発明は、上記に鑑み、アダプタを使用して、主幹ブレーカの遮断を避けるとともに、分岐ブレーカの遮断も避けることができる電力制御システムの提供を目的とする。
【課題を解決するための手段】
【００１０】
本発明は、主幹ブレーカと、主幹ブレーカに接続された複数の分岐ブレーカと、各分岐ブレーカに接続されたコンセントとを備えた屋内配線において、各分岐ブレーカに流れる電流を検出する電流計測器と、コンセントから電力を供給される電気製品とコンセントとの間で電力供給をオンオフするアダプタとが設けられ、アダプタと通信可能とされ各分岐ブレーカに流れる電流に基づいて電力の供給を制御する電力制御装置が設けられ、分岐ブレーカに電力制御時の優先順位が設定され、主幹ブレーカを流れる電流値が規定値に達するとき、電力制御装置は、優先順位の低い分岐ブレーカの配下のアダプタを動作させて電力の供給をオフする。
【００１１】
主幹ブレーカに接続された全ての分岐ブレーカに流れる電流値の合計が主幹ブレーカを流れる電流値となる。電力制御装置は、この電流値が主幹ブレーカの最大電流容量より低い規定値を超えるか監視している。電流値が規定値を超えたとき、電力制御装置は、優先順位の低い分岐ブレーカの配下のアダプタに電力供給をオフするように指示する。アダプタは、電気製品への電力供給をオフする。主幹ブレーカを流れる電流値が低下して、主幹ブレーカが遮断されることはない。
【００１２】
電力制御装置は、電力の供給をオフするアダプタが接続される分岐ブレーカを決めるとき、分岐ブレーカを流れる電流値に基づいて、最も電流値が多い分岐ブレーカを選択する。
【００１３】
最も電流値が多い分岐ブレーカは、優先順位が低く設定される。この分岐ブレーカの配下のアダプタが電力供給をオフするように動作するので、分岐ブレーカを流れる電流値が低くなり、分岐ブレーカが遮断されることはない。
【００１４】
電気製品が接続されたアダプタに優先順位が設定され、電力制御装置は、優先順位の低いアダプタから電力の供給をオフする。動作が停止しても差し支えない電気製品が接続されたアダプタの優先順位が低く設定される。電気製品とアダプタとを一体的に取り扱うことができ、アダプタが他のコンセントに接続されても、優先順位を変更する必要がなくなる。
【００１５】
電力制御装置は、電気製品の使用状態を監視して、使用状態に応じて電力制御の対象とするアダプタを設定する。電気製品が使用中のとき、この電気製品が接続されたアダプタは電力制御の対象とされる。電気製品が使用されていないとき、電気製品には電力が供給されていないので、この電気製品が接続されたアダプタは電力制御の対象とされない。
【００１６】
アダプタは、通電の有無を検出し、電力制御装置は、通電の有無に基づくアダプタからの使用情報に基づいて電気製品の使用状態を監視する。電気製品に電力が供給されているとき、通電有りとなり、電気製品は使用中である。電気製品に電力が供給されていないとき、通電無しであり、電気製品は使用されていない。
【発明の効果】
【００１７】
本発明によると、消費電力が増大したとき、電気製品が接続されたアダプタにおいて、電力供給をオフすることができ、主幹ブレーカの遮断を避けるとともに、分岐ブレーカの遮断も避けることができる
【図面の簡単な説明】
【００１８】
【図１】本発明の電力制御システムの全体構成図
【図２】電力制御装置およびアダプタの概略構成を示すブロック図
【図３】管理テーブルを示す図
【発明を実施するための形態】
【００１９】
（第１の実施形態）
第１の実施形態の電力制御システムを図１に示す。電力制御システムは、電源に接続された主幹ブレーカ１と、主幹ブレーカ１に接続された複数の分岐ブレーカ２と、各分岐ブレーカ２に接続されたコンセント３とを備えた屋内配線において、分岐ブレーカ２に流れる電流を検出する電流計測器４と、コンセント３から電力を供給される電気製品５とコンセント３との間に介在するアダプタ６と、主幹ブレーカ１および各分岐ブレーカ２に流れる電流に基づいて電力の供給を制御する電力制御装置７とを備えている。アダプタ６と電力制御装置７とは無線通信を行う。
【００２０】
主幹ブレーカ１および複数の分岐ブレーカ２は、分電盤８に設けられる。分電盤８内の全ての分岐ブレーカ２の近傍に、電流計測器４がそれぞれ設けられる。電流計測器４は、カレントトランスからなり、分岐ブレーカ２につながる電力線に取り付けられる。各電流計測器４は、電力制御装置７にケーブルを介して接続される。
【００２１】
図２に示すように、アダプタ６は、照明機器、電化製品などの電気製品５の電源プラグ１０が差し込まれるコンセント１１と、屋内配線のコンセント３に差し込む電源プラグ１２とを備え、電源からの電力を電気製品５に供給する。そして、アダプタ６は、電力供給をオンオフするスイッチ１３と、無線通信を行う通信部１４と、スイッチ１３を動作させる制御部１５と、不揮発性メモリ１６と、通電の有無を検出する電流センサ１７とを備えている。
【００２２】
スイッチ１３は、リレーあるいは半導体スイッチとされ、コンセント１１と電源プラグ１２とを接続するケーブルに介装される。スイッチ１３は、マイコンからなる制御部１５により駆動される。スイッチ１３は、常時オンしている。アダプタ６を通じてコンセント３から電力が電気製品５に供給される。スイッチ１３がオフすると、通電が遮断され、電力が電気製品５に供給されない。通信部１４は、特定小電力無線、無線ＬＡＮ、ブルートゥース（登録商標）、ＺｉｇＢｅｅ（登録商標）などの無線方式により、電力制御装置７および他のアダプタ６と通信する。電流センサ１７は、ケーブルに電流が流れているかを検出する。
【００２３】
電力制御装置７は、無線通信を行う通信部２０と、システム全体の制御を行う制御部２１と、不揮発性メモリ２２と、電流計測器４が接続される通信インターフェース２３と、表示部２４と、入力部２５とを備えている。
【００２４】
通信部２０は、アダプタ６の通信部１４との間で通信する。通信インターフェース２３は、電流計測器４との間で信号を送受信する。表示部２４は、ディスプレイ、ＬＥＤランプなどであり、各種の情報を表示したり、点灯や点滅する。入力部２５は、キーボード、ボタン、タッチパネルなどである。
【００２５】
電力制御装置７は、主幹ブレーカ１あるいは分岐ブレーカ２を流れる電流値に基づいて電力の供給を制御して、各ブレーカ１，２が遮断されないようにする。すなわち、電力制御装置７の制御部２１は、消費電力の増大に伴って主幹ブレーカ１を流れる電流値が規定値に達するとき、選択された分岐ブレーカ１の配下のアダプタ６を動作させて電力の供給をオフする。各分岐ブレーカ２の配下のアダプタ６に優先順位が設定されている。電力制御装置７の制御部２１は、優先順位に基づいてオフするアダプタ６を選択する。オフするように動作されるアダプタ６は、優先順位の低いものから選ばれる。
【００２６】
主幹ブレーカ１に流れる電流値は、各分岐ブレーカ２に流れる電流値の総和によって算出される。規定値は、主幹ブレーカ１の最大電流容量よりも小さい電流値に設定される。なお、規定値は、分岐ブレーカ２の最大電流容量よりも大きい電流値に設定しておくとよい。例えば、主幹ブレーカ１の最大電流容量が４０Ａ、分岐ブレーカ２の最大電流容量が３０Ａであるとき、規定値は、３０Ａ〜４０Ａの間に設定される。
【００２７】
主幹ブレーカ１に流れる電流値が規定値に達したとき、電力制御装置７の制御部２１は、分岐ブレーカ２を流れる電流値に基づいて、この電流値が最も多い分岐ブレーカ２を選択する。
【００２８】
そして、アダプタ６に接続される電気製品５に基づいて、アダプタ６に優先順位が設定される。電力の供給を優先しなければならない電気製品５が接続されるアダプタ６の優先順位は高く設定され、電力の供給がオフされても問題のない電気製品５が接続されるアダプタ６の優先順位は低く設定される。
【００２９】
制御部２１は、入力部２５から入力された電気製品５の優先順位に関する情報に基づいて、図３に示すような各分岐ブレーカ２の配下のアダプタ６に接続されている電気製品５をリストアップした管理テーブルを作成する。各分岐ブレーカ２の電気製品５は優先順位の順に並べられている。制御部２１は、この管理テーブルをメモリ２４に記憶する。
【００３０】
ここで、コンセント３には、電気製品５が接続されたアダプタ６が接続されるので、電気製品５とアダプタ６とは一体的に取り扱える。そのため、電気製品５の優先順位はアダプタ６の優先順位となる。したがって、アダプタ６とともに電気製品５を移動させても、再度優先順位を設定する必要がなくなる。
【００３１】
なお、電気製品５が異なる分岐ブレーカ２に接続されたコンセント３に接続されたり、コンセント３に電気製品５が接続されると、制御部２１は、入力部２５から入力された情報に基づいて、優先順位を修正して、管理テーブルを更新する。
【００３２】
電力制御装置７の制御部２１は、主幹ブレーカ１を流れる電流値が規定値に達したとき、分岐ブレーカ２に流れる電流値に基づいて、電流値の最も高い分岐ブレーカ２を選択する。そして、制御部２１は、管理テーブルを参照して、選択された分岐ブレーカ２の配下のアダプタ６の中から、優先順位の最も低い電気製品５が接続されたアダプタ６を選択する。制御部２１は、オフするための制御信号を選ばれたアダプタ６に出力し、電力の制御を行ったことを報知する。通信部２０は、アダプタ６に制御信号を送信する。表示部２４は、ランプを点灯したり、ディスプレイに電力制御の情報を表示する。
【００３３】
アダプタ６の制御部１５は、電力制御装置７から制御信号を受信すると、スイッチ１３をオフにする。アダプタ６に接続された電気製品５への電力の供給がオフされる。電気製品５が停止するので、分岐ブレーカ２に流れる電流値が低下する。これにより、主幹ブレーカ１を流れる電流値が低下するので、主幹ブレーカ１を流れる電流値は最大電気容量を超えることがなくなり、主幹ブレーカ１が遮断されることを防げる。
【００３４】
ここで、電力制御装置７の制御部２１は、各分岐ブレーカ２に流れる電流値を検出して、電流値が主幹ブレーカ１および分岐ブレーカ２のそれぞれの規定値に達しているかを監視している。上記の電力制御を行っても、主幹ブレーカ１を流れる電流値がまだ規定値より下がらないとき、電力制御装置７の制御部２１は、選択された分岐ブレーカ２において、次に優先順位の低いアダプタ６を動作させて、電力の供給をオフする。あるいは、制御部２１は、各分岐ブレーカ２に流れる電流値を検出し、最も電流値の高い分岐ブレーカ２の配下の優先順位の最も低いアダプタ６を動作させて、電力の供給をオフする。このように、主幹ブレーカ１を流れる電流値が規定値より低くなるまでアダプタ６が動作して、電気製品５への電力の供給がオフされる。
【００３５】
ところで、アダプタ６を介してコンセント３に接続された電気製品５が使用されていないとき、電気製品５に電力は供給されない。使用されていない電気製品５に対する電力制御は行うことができない。
【００３６】
（第２の実施形態）
第２の実施形態の電力制御システムでは、電気製品５の使用状態が監視され、使用状態に応じて電気製品５に対する電力制御が行われる。すなわち、電力制御装置７は、使用されていない電気製品５が接続されたアダプタ６を電力制御の対象から除外する。そして、使用中の電気製品５が接続されたアダプタ６を電力制御の対象にする。その他の構成は、第１の実施形態と同じである。
【００３７】
アダプタ６の電流センサ１７は、アダプタ６内のコンセント１１と電源プラグ１２とを接続するケーブルに流れる電流を検出する。電気製品５が動作しているとき、すなわち電気製品５が使用されているとき、電流センサ１７は通電有りを検出する。電気製品５が動作していないとき、すなわち電気製品５が使用されていないとき、あるいは電気製品５がアダプタ６に接続されていないとき、電流センサ１７は通電無しを検出する。制御部１５は、通信部１４を通じて通電の有無に基づく使用情報を電力制御装置７に送信する。制御部１５は、通電の有無に変化があったとき、使用情報を電力制御装置７に通知する。
【００３８】
電力制御装置７の制御部２１は、アダプタ６からの使用情報に基づいて、各アダプタ６に接続された電気製品５の使用状態を監視する。使用状態に応じて、制御対象とするアダプタ６が設定される。すなわち、制御部２１は、電気製品５の使用状態を付加した管理テーブルを作成して、メモリ２２に記憶する。
【００３９】
主幹ブレーカ１に流れる電流値が規定値に達するとき、電力制御装置７の制御部２１は、まず電流値の最も高い分岐ブレーカ２を選択して、この分岐ブレーカ２の配下のアダプタ６の中から、優先順位の最も低い電気製品５が接続されたアダプタ６を選択する。このとき、使用されていない電気製品５は選択から除外される。選択されたアダプタ６の制御部１５は、スイッチ１３をオフにする。アダプタ６に接続された電気製品５への電力の供給がオフされる。
【００４０】
これにより、使用している電気製品５が接続されているアダプタ６を対象にして優先順位が設定されることになり、使用されていない電気製品５のアダプタ６が制御されることがなくなる。したがって、確実に電力制御を行うことができ、主幹ブレーカ１や分岐ブレーカ２が遮断されることを防止できる。
【００４１】
（第３の実施形態）
第３の実施形態として、電力制御装置７は、電気製品５の使用状態を表示部２４に表示させ、ユーザの操作に応じて電力制御装置７は、使用状態に応じて電力制御の対象とする電気製品５を変更する。なお、表示部２４は、電力制御装置７に設けられているが、これに限らず、電力制御装置７と通信可能な端末装置に設けられたものであってもよい。その他の構成は、第１、第２の実施形態と同じである。
【００４２】
電力制御装置７の制御部２１は、管理テーブルに基づく使用状態に関する情報を表示部２４に出力する。表示部２４は、電気製品５の使用状態を表示する。表示を見たユーザが、動作が停止されないように電気製品５の優先順位を高くしたり、停止しても差し支えない電気製品５の優先順位を低くするといった、電気製品５の優先順位を変更する操作を行うと、制御部２１は、変更された電気製品５が接続されたアダプタ６の優先順位を変更し、更新した管理テーブルをメモリ２２に記憶する。これにより、ユーザは必要に応じた電気製品５の優先順位を設定することができ、使用中の電気製品５が不意に停止されるといった事態を避けることができる。
【００４３】
また、アダプタ６の機能は設定可能とされる。すなわち、電力供給のオフを不可にする、最大電力使用時には、電力供給のオフを不可にする、といった設定が行われる。電力制御装置７の制御部２１は、アダプタ６の機能が設定されると、設定情報をメモリ２２に記憶する。そして、制御部２１は、電力制御を行うとき、設定情報に基づいてアダプタ６の動作を制御する。
【００４４】
例えば、アダプタ６の電力供給のオフを不可にするように設定されると、制御部２１は、機能を設定されたアダプタ６に電力供給をオフする制御信号を出力しない。これにより、消費電力が大きくなっても、特定の電気製品５を常に動作させておくことができる。
【００４５】
（第４の実施形態）
第４の実施形態として、電力制御装置７は電気製品の使用状態を監視しているので、消費電力の増大を未然に抑制することができる。すなわち、消費電力が大きくなる可能性がある場合、運転が開始されたばかりの電気製品５に対して、この電気製品５の運転を停止させる処理を行う。その他の構成は、第１〜第３の実施形態と同じである。
【００４６】
電気製品５が動作を開始すると、アダプタ６の制御部１５は、電力制御装置７に動作開始を通知する。電力制御装置７の制御部２１は、アダプタ６からの通知により、電気製品５が動作を開始したことを認識する。
【００４７】
制御部２１は、このまま電気製品５が使用されると、主幹ブレーカ１を流れる電流値が多くなって、規定値に達する可能性があると判断すると、動作を開始した電気製品５の停止を促す警告を行う。警告は、表示部２４を通じて行われる。あるいは、アダプタ６あるいは電気製品５に通知してもよい。ユーザが警告にしたがって電気製品５を停止させると、消費電力の増加が抑制され、主幹ブレーカ１を流れる電流値が規定値に達しなくなり、ブレーカ１が遮断されることを防げる。
【００４８】
また、制御部２１は、動作が開始されたばかりの電気製品５に対して、電力供給をオフしてもよい。電気製品５の動作が強制的に停止される。このとき、制御部２１は、強制的に停止する旨の警告を行う。
【００４９】
（第５の実施形態）
第５の実施形態として、主幹ブレーカ１に流れる電流を検出する電流計測器４が設けられる。この場合、主幹ブレーカ１に接続された複数の分岐ブレーカ２のうち、１つの分岐ブレーカ２には、電流計測器４が設けられない。その他の構成は、第１〜第４の実施形態と同じである。
【００５０】
主幹ブレーカ１に設けられた電流計測器４により、主幹ブレーカ１を流れる電流値がわかる。また、電流計測器４のない分岐ブレーカ２を流れる電流値は、主幹ブレーカ１を流れる電流値から他の分岐ブレーカ２に設けられた電流計測器４によって検出された電流値の総和を引くことにより算出される。
【００５１】
この場合でも、主幹ブレーカ１を流れる電流値が規定値に達するとき、電力制御装置７は、優先順位の低い分岐ブレーカ２の配下のアダプタ１４を動作させて電力の供給をオフする。すなわち、電力制御装置７は、主幹ブレーカ１に流れる電流に基づいて電力の供給を制御する。
【００５２】
以上の通り、本発明の電力制御システムは、主幹ブレーカ１と、主幹ブレーカ１に接続された複数の分岐ブレーカ２と、各分岐ブレーカ２に接続されたコンセント３とを備えた屋内配線において、各分岐ブレーカ２に流れる電流を検出する電流計測器４と、コンセント３から電力を供給される電気製品５とコンセント３との間で電力供給をオンオフするアダプタ６とが設けられ、アダプタ６と通信可能とされ各分岐ブレーカ２に流れる電流に基づいて電力の供給を制御する電力制御装置７が設けられたものである。分岐ブレーカ２に電力制御時の優先順位が設定され、主幹ブレーカ２を流れる電流値が規定値に達するとき、電力制御装置７は、優先順位の低い分岐ブレーカ２の配下のアダプタ１４を動作させて電力の供給をオフする。
【００５３】
優先順位の低い分岐ブレーカ２では、電力の供給をオフする必要性が高く、優先順位の高い分岐ブレーカ２では、電力の供給のオフを避けなければならない。優先順位の低い分岐ブレーカ２の配下のアダプタ６を動作させて電力の供給をオフすることにより、消費電力を下げることができ、主幹ブレーカ１が遮断されることを防止できる。
【００５４】
電力制御装置７は、電力の供給をオフするアダプタ６が接続される分岐ブレーカ２を決めるとき、分岐ブレーカ２を流れる電流値に基づいて、最も電流値が多い分岐ブレーカ２を選択する。電流値の多い分岐ブレーカ２では、遮断される可能性が高いので、優先順位が低く設定される。この分岐ブレーカ２に接続される電気製品５への電力供給をオフすることにより、分岐ブレーカ２の遮断を防止できる。
【００５５】
電気製品５が接続されたアダプタ６に優先順位が設定され、電力制御装置７は、優先順位の低いアダプタ６から電力の供給をオフする。動作が停止しても問題のない電気製品５が接続されたアダプタ６は、優先順位が低く設定される。このような電気製品５への電力供給をオフすることにより、ユーザの生活への影響を少なくできる。
【００５６】
電力制御装置７は、電気製品５の使用状態を監視して、使用状態に応じて電力制御の対象とするアダプタ６を設定する。これにより、使用されていない電気製品５が接続されたアダプタ６を電力制御の対象から除外することができる。このような電気製品５では、電力供給をオフする必要がない。
【００５７】
アダプタ６は、通電の有無を検出し、電力制御装置７は、通電の有無に基づくアダプタ６からの使用情報に基づいて電気製品５の使用状態を監視する。これにより、使用中の電気製品５と使用されていない電気製品５とを判別でき、電力制御の対象となるアダプタ６を確実に選択することができる。
【００５８】
電力制御装置７は、使用されていない電気製品５が接続されたアダプタ６を電力制御の対象から除外する。これにより、アダプタ６の無用な動作をなくすことができる。
【００５９】
電力制御装置７は、電気製品５の使用状態を表示部２４に表示させ、電力制御装置７は、使用状態に応じて電力制御の対象とする電気製品５を変更する。新しく電気製品５が接続されたり、電気製品５が変更されたとき、このような電気製品５が接続されるアダプタ６の優先順位を変更することができる。
【００６０】
電力制御装置７は、電気製品５の使用時間を監視し、運転が開始されたばかりの電気製品５があるとき、この電気製品５の運転を停止させる処理を行う。このまま電気製品５を使用すれば、消費電力が増えて、各ブレーカ１，２が遮断される可能性がある場合に、運転の停止を促すように警告する処理を行う。これにより、消費電力の増大を未然に抑制できる。
【００６１】
電気製品５への通電状態を確認できるパイロットランプがコンセント３あるいはアダプタ６に設けられる。パイロットランプにより、使用中の電気製品５への電力供給がオフされたことを確認できる。
【００６２】
アダプタ６の電力供給のオフを不可にするように設定可能とされる。常時動作している電気製品５が強制的に停止されることを防げる。
【００６３】
電力制御装置７は、各分岐ブレーカ２に流れる電流値を監視し、電流値が各分岐ブレーカ２に設定された規定値に達したかを判断する。分岐ブレーカ２に流れる電流値が規定値に達したとき、この分岐ブレーカ２の配下のアダプタ６が動作して、電力供給がオフされることにより、分岐ブレーカ２が遮断されることを避けることができる。
【００６４】
なお、本発明は、上記実施形態に限定されるものではなく、本発明の範囲内で上記実施形態に多くの修正および変更を加え得ることは勿論である。電力制御装置７は、ＰＣあるいはサーバであってもよく、ＬＡＮなどのネットワークに接続される。スマートフォン、携帯電話などの携帯端末と電力制御装置７とは通信可能となり、携帯端末により設定などの操作を行える。また、電力制御装置７が電力線に接続され、電力制御装置７とアダプタ６とはＰＬＣを利用して通信を行ってもよい。
【符号の説明】
【００６５】
１    主幹ブレーカ
２    分岐ブレーカ
３    コンセント
４    電流計測器
５    電気製品
６    アダプタ
７    電力制御装置
【図１】
2015142402.tif 000003
【図２】
2015142402.tif 000004
【図３】
2015142402.tif 000005